(57)【要約】　　　（修正有）【課題】アンテナを筐体外に突出させずに携帯性を良くするとともに、折り畳んだ際に生じるアンテナ特性の劣化を防止する移動体通信端末を提供する。【解決手段】プリント基板１２を有する上側筐体１０と、プリント基板１１を有する下側筐体１１とを有し、ヒンジ３０で折り畳み自在に接続した折り畳み構造の移動体通信端末において、上側筐体１０内の先端にアンテナ４０を装備し、下側筐体１１の長さを上側筐体１０の長さより、アンテナ４０の長さ分だけ短くすることにより、アンテナ４０が下側筐体１１に隠れないようにして、アンテナの送受信特性の劣化を防止することができる。【選択図】　図１
2004064168.tif 000002
【特許請求の範囲】
【請求項１】
上側筐体と下側筐体とを有する折り畳み構造の移動体通信端末であって、上側筐体は内部先端にアンテナを有し、前記上側筐体と前記下側筐体は長さが異なることを特徴とする移動体通信端末。
【請求項２】
前記上側筐体は前記下側筐体に折り畳まれた状態において、前記アンテナの長さ分だけ前記下側筐体より長いことを特徴とする請求項１記載の移動体通信端末。
【請求項３】
上側筐体と下側筐体とを有する折り畳み構造の移動体通信端末であって、前記上側筐体に前記上側筐体の厚さより厚いアンテナを付加することを特徴とする移動体通信端末。
【請求項４】
前記アンテナは、前記下側筐体の先端に装備することを特徴とする請求項１ないし３のいずれかに記載の移動体通信端末。
【請求項５】
前記アンテナは、前記上側筐体の側部に装備することを特徴とする請求項１ないし３のいずれかに記載の移動体通信端末。
【請求項６】
前記アンテナは、前記下側筐体の側部に装備することを特徴とする請求項１ないし３のいずれかに記載の移動体通信端末。
【発明の詳細な説明】
【０００１】
【発明の属する技術分野】
本発明は、折り畳んだ際にアンテナが筐体に隠れないようにした移動体通信端末に関するものである。
【０００２】
【従来の技術】
従来、折り畳み式の移動体通信端末としては、特願平１１−６７９３４号公報に記載されており、図４に示すようなものが知られている。図４に示す折り畳み構造の移動体通信端末は、移動体通信端末の各種機能を実現する手段を装備したプリント基板１１を具備した上側筐体１０と、同じく各種機能を実現する手段を装備したプリント基板１１を具備した下側筐体２０と、上側筐体１０と下側筐体２０とを接続するヒンジ部３０と、外部と無線送受信するアンテナ４３とを有する。一般に、図４に示すような従来の移動体通信端末に使用するアンテナ４３は、モノポールアンテナを外部に突出して使用するものであった。
また、移動体通信端末は、通話時には、上側筐体１０を開いて使用し、携帯時には、下側筐体２０に上側筐体１０を折り畳んで携帯する。なお、アンテナ４３は、携帯時でも、一部突出したままのため、携帯に不便であった。
【０００３】
また、図５を参照して、移動体通信端末の他の従来例について説明する。図５に示すアンテナ４４は、外部に突出するものではなく、上側筐体１０の内部の先端に内蔵するものである。このように構成することにより、アンテナ４４が外部に突出して、携帯時に邪魔になることはない。
【０００４】
【発明が解決しようとする課題】
しかしながら、上記図４に示す最初に述べた従来の移動体通信端末においては、折り畳んだ際でもアンテナが外部に突出しているため、携帯時には邪魔になり、不便であった。
また、上記図５に示す従来の移動体通信端末においては、アンテナ４４を上側筐体１０内に内蔵すると、アンテナ４４が外部に突出することはないが、下側筐体２０のプリント基板１１がグランドプレーンとして働くため、上側筐体１０を折り畳んだ際に、アンテナ４４は下側筐体２０内のプリント基板１１の影に隠れて、アンテナの送受信特性を劣化させるという問題があった。
【０００５】
本発明は、アンテナを筐体外に突出させずに携帯性を良くするとともに、折り畳んだ際に生じるアンテナ特性の劣化を防止する移動体通信端末を提供するものである。
【０００６】
【課題を解決するための手段】
本発明における移動体通信端末は、下側筐体と折り畳みの構造を有する上側筐体の内部先端にアンテナを装備し、前記上側筐体と前記下側筐体は長さが異なるという構成を有している。この構成により、アンテナを上側筐体内に内蔵しても上下筐体を折り畳んだ際にアンテナは下側筐体の影に隠れず、良好なアンテナの送受信特性を確保することができる。
【０００７】
本発明における移動体通信端末は、前記上側筐体が前記下側筐体に折り畳まれた状態において、前記アンテナの長さ分だけ前記下側筐体より長さが長いという構成を有している。この構成により、アンテナを上側筐体内に内蔵しても上下筐体を折り畳んだ際にアンテナは下側筐体の影に隠れず、良好なアンテナの送受信特性を確保することができる。
【０００８】
本発明における移動体通信端末は、上側筐体と下側筐体とを有する折り畳み構造の移動体通信端末において、前記上側筐体に前記上側筐体の厚さより厚いアンテナを装備するという構成を有している。この構成により、アンテナ部の占有体積を大きく取ることが可能となり、良好なアンテナの送受信特性を確保することができる。
【０００９】
本発明における移動体通信端末は、前記アンテナが、前記下側筐体の下端に装備するという構成を有している。この構成により、下側筐体の下端にアンテナを具備した構成にした場合も、上側筐体の先端にアンテナを具備した場合と同様に、良好なアンテナの送受信特性を確保することができる。
【００１０】
本発明における移動体通信端末は、前記アンテナが、前記上側筐体の側部に装備するという構成を有している。この構成により、折り畳んだ際に、アンテナは下側筐体の影に隠れず、またアンテナ部の占有体積を大きくとることが可能となり、良好なアンテナの送受信特性を確保することができる。
【００１１】
本発明における移動体通信端末は、前記アンテナが、前記下側筐体の側部に装備するという構成を有している。この構成により、下側筐体の側部にアンテナを装備した場合も、上側筐体を細くすることで、良好なアンテナの送受信特性を確保することができる。
【００１２】
【発明の実施の形態】
以下、添付図面に基づき、本発明の第１ないし第３の実施の形態を詳細に説明する。
まず、図１を参照して、本発明の第１の実施の形態における移動体通信端末について説明する。本実施の形態における折り畳み構造の移動体通信端末は、移動体通信端末の各種機能を実現する手段を装備したプリント基板１１を具備した上側筐体１０と、同じく各種機能を実現する手段を装備したプリント基板１２を具備した下側筐体２０と、上側筐体１０と下側筐体２０とを接続するヒンジ部３０と、外部と無線送受信するアンテナ４０とを有する。
【００１３】
本実施の形態におけるアンテナ４０は、上側筐体１０の先端に内蔵する構成とされる。また、アンテナ４０を内蔵しない方の下側筐体２０の長さを、上側筐体１０よりアンテナ４０の長さ分だけ短くして、図１の（Ｂ）に示すように、上側筐体１０を折り畳んだ際に、アンテナ４０が下側筐体２０に隠れないよう構成する。
【００１４】
このように、本実施の形態における折り畳み構造の移動体通信端末は、アンテナ４０を上側筐体１０の内部先端に内蔵するので、アンテナ４０が外部に突出して携帯時に邪魔になることはなく、さらに下側筐体２０の長さを上側筐体１０よりアンテナ４０の長さ分だけ短くしたため、アンテナ４０を上側筐体１０に内蔵しても、実質的に外付け構造としたことにより、上側筐体１０を折り畳んだ際にアンテナ４０が下側筐体２０に隠れないため、良好なアンテナの送受信特性を確保することができる。
【００１５】
なお、下側筐体２０の長さは上側筐体１０に内蔵されているアンテナ４０の長さ分だけ短くしても、アンテナ４０の長さ以上に短くしても良好なアンテナの送受信特性を確保することができる。
また、本実施の形態における折り畳み構造の移動体通信端末は、アンテナ４０を上側筐体１０の先端に内蔵する構成とするが、アンテナ４０分だけ下側筐体２０を大きくして下側筐体２０に内蔵することもできる。その場合は、上側筐体１０をアンテナ４０分だけ下側筐体２０より短くすればよい。
【００１６】
次に、図２を参照して、本発明の第２の実施の形態における移動体通信端末について説明する。本実施の形態における折り畳み構造の移動体通信端末は、上側筐体１０に外付けする構造のアンテナ４１を有し、大きさを第１の実施の形態のものより大きくして占有体積を増やし、上側筐体１０の先端に取り付けた点で第１の実施の形態における移動体通信端末と異なる。その他の構成要素は第１の実施の形態のものと同様である。
【００１７】
このように、本実施の形態における折り畳み構造の移動体通信端末は、アンテナ４１を上側筐体１０の外部先端に外付けとするが、モノポールアンテナのようにアンテナ４１が外部に突出して携帯時に邪魔になることはなく、さらに上側筐体１０を折り畳んだ際でも、アンテナ４１は下側筐体２０の外部に配置されることになり下側筐体２０に隠れないため、良好なアンテナの送受信特性を確保することができる。
【００１８】
その上、本実施の形態におけるアンテナ４１は、このように構成したことにより、体積を必要とするアンテナを装備することが可能となり、体積を増加することによって良好なアンテナの送受信特性を確保することができる。さらに、複数のアンテナを装備することが可能であり、アンテナの増減によりアンテナの指向性を任意に制御することができるため、さらに良好なアンテナの送受信特性を確保することができる。
【００１９】
尚、本実施の形態における折り畳み構造の移動体通信端末は、アンテナ４１を上側筐体１０の外部先端に外付けるものとするが、アンテナ４１分だけ上側筐体１０を大きくして上側筐体１０に内蔵することもできる。また、以上の説明では、アンテナ４１を上側筐体１０の外部先端に配置した場合について説明したが、本発明はアンテナ４１を下側筐体２０の外部下端に配置した場合も同様の効果が得られる。
【００２０】
次に、図３を参照して、本発明の第３の実施の形態における移動体通信端末について説明する。本実施の形態における折り畳み構造の移動体通信端末は、アンテナ４２を外付けとして上側筐体１０の側部に装着し、大きさを第１の実施の形態のものより大きくして占有体積を増加した点で第１の実施の形態における移動体通信端末と異なる。その他の構成要素は第１の実施の形態のものと同様である。
【００２１】
このように、本実施の形態における折り畳み構造の移動体通信端末は、アンテナ４２を上側筐体１０の側部に外付けとするが、モノポールアンテナのようにアンテナ４２が外部に突出して携帯時に邪魔になることはなく、さらに、上側筐体１０はアンテナ４２分だけ細くすることにより、大きさが大きくなることがなく、下側筐体２０もアンテナ４２分だけ細くすることにより、上側筐体１０を折り畳んだ際も、アンテナ４２は下側筐体２０の外部に配置されることになり、下側筐体２０に隠れないため、良好なアンテナの送受信特性を確保することができる。その上、アンテナ４０の占有体積を増やすことが可能となり良好なアンテナの送受信特性を確保することができる。
【００２２】
尚、本実施の形態における折り畳み構造の移動体通信端末は、アンテナ４２を上側筐体１０の側部に外付けるものとするが、アンテナ４２分だけ上側筐体１０を大きくして上側筐体１０に内蔵することもできる。また、アンテナ４２を上側筐体１０の側部に配置した場合について説明したが、本発明はアンテナ４２を下側筐体２０の側部に配置した場合も同様の効果が得られる。
【００２３】
【発明の効果】
本発明における折り畳み構造の移動体通信端末は、上記のように構成され、特に、モノポールアンテナを使用しないため、アンテナを筐体外に突出させずに携帯性を良くするとともに、また、実質的に外付け構造としたことにより、プリント基板に邪魔されることなく、折り畳んだ際に生じるアンテナの送受信特性の劣化を防止することができる。
【図面の簡単な説明】
【図１】本発明の第１の実施の形態における移動体通信端末の構成を示す側面図、
（Ａ）上側筐体を開いた状態を示す図、
（Ｂ）折り畳まれた状態を示す図、
【図２】本発明の第２の実施の形態における移動体通信端末の構成を示す側面図、
（Ａ）上側筐体を開いた状態を示す図、
（Ｂ）折り畳まれた状態を示す図、
【図３】本発明の第３の実施の形態における移動体通信端末の構成を示す斜視図、
（Ａ）上側筐体を開いた状態を示す図、
（Ｂ）折り畳まれた状態を示す図、
【図４】従来のモノポールアンテナを有する移動体通信端末の構成を示す側面図、
（Ａ）上側筐体を開いた状態を示す図、
（Ｂ）折り畳まれた状態を示す図、
【図５】従来の内蔵アンテナを有する移動体通信端末の構成を示す側面図、
（Ａ）上側筐体を開いた状態を示す図、
（Ｂ）折り畳まれた状態を示す図。
【符号の説明】
１０　上側筐体
１１、１２　プリント基板
２０　下側筐体
３０　ヒンジ
４０、４１、４２、４３、４４　アンテナ
【図１】
2004064168.tif 000003
【図２】
2004064168.tif 000004
【図３】
2004064168.tif 000005
【図４】
2004064168.tif 000006
【図５】
2004064168.tif 000007